(57)【要約】【課題】面倒な屋根板の引き剥がし作業を要することなく、非常に簡単に改修することができ、更には、屋根の断熱効果が向上し、雨音などの遮音効果も向上することになる屋根の改修方法並びにこの屋根の改修方法と同時に施工できる屋根融雪装置の施工方法を提供すること。【解決手段】長尺瓦棒葺屋根の古い屋根板１を引き剥がすことなく、この古い屋根板１上の並設する瓦棒２間にこの瓦棒２と略面一状態に断熱材３を敷き詰め、この断熱材３の上面に新しい屋根板４を付設する。【選択図】        図４
2004190226.tif 000002
【特許請求の範囲】
【請求項１】
長尺瓦棒葺屋根の改修方法であって、屋根上の古い屋根板を引き剥がすことなく、この古い屋根板上の並設する瓦棒間にこの瓦棒と略面一状態に断熱材を敷き詰め、この断熱材の上面に新しい屋根板を付設することを特徴とする屋根の改修方法。
【請求項２】
前記断熱材の上面に防水シートを敷設状態に付設し、この防水シートの上面に新しい屋根板を敷設状態に付設することを特徴とする請求項１記載の屋根の改修方法。
【請求項３】
長尺瓦棒葺屋根の並設する瓦棒間に断熱材を敷き詰め、この各断熱材の上面に暖気を導入する導入管部を設けると共に、この各導入管部は屋根の棟部に内装した換気部に連通せしめ、この断熱材の上面に新しい屋根板を付設することを特徴とする屋根融雪装置の施工方法。
【請求項４】
前記断熱材の表面に嵌合溝を設け、この嵌合溝に前記導入管部を嵌合装着してこの導入管部が断熱材の上面と略面一状態となるように設けたことを特徴とする請求項３記載の屋根融雪装置の施工方法。
【請求項５】
前記導入管部は、前記瓦棒と略平行に前記棟部から軒先までの範囲に設けることを特徴とする請求項３，４のいずれか１項に記載の屋根融雪装置の施工方法。
【請求項６】
室内の暖気を前記換気部に強制的に排出する暖気排出機構部を設けることを特徴とする請求項３〜５のいずれか１項に記載の屋根融雪装置の施工方法。
【発明の詳細な説明】
【０００１】
【発明の属する技術分野】
本発明は、老朽化した屋根の改修方法、並びに屋根に対して改修と同時に融雪装置を施工できる屋根融雪装置の施工方法に関するものである。
【０００２】
【従来の技術及び発明が解決しようとする課題】
トタン製の屋根板は、長期使用により老朽化すると、雨漏りなどの不具合が生じる恐れがあるため、適当な時期に改修（葺替え）を行うことが望ましい。
【０００３】
この屋根板の葺替えは、先ず老朽化した屋根板を野地板から全部引き剥がして取り去り、その後に新しい屋根板を再び葺き直すことで行われるが、古い屋根板の引き剥がし作業は多大な労力と費用を要し、また時間もかかる非常に厄介な作業であった。
【０００４】
本発明は、この点、面倒な屋根板の引き剥がし作業を要することなく、非常に簡単に改修することができ、更には、屋根の断熱効果が向上し、雨音などの遮音効果も向上することになる画期的な屋根の改修方法、並びにこの屋根の改修方法と同時に施工できる屋根融雪装置の施工方法を提供するものである。
【０００５】
【課題を解決するための手段】
添付図面を参照して本発明の要旨を説明する。
【０００６】
長尺瓦棒葺屋根の改修方法であって、屋根上の古い屋根板１を引き剥がすことなく、この古い屋根板１上の並設する瓦棒２間にこの瓦棒２と略面一状態に断熱材３を敷き詰め、この断熱材３の上面に新しい屋根板４を付設することを特徴とする屋根の改修方法に係るものである。
【０００７】
また、前記断熱材３の上面に防水シート５を敷設状態に付設し、この防水シート５の上面に新しい屋根板４を敷設状態に付設することを特徴とする請求項１記載の屋根の改修方法に係るものである。
【０００８】
また、長尺瓦棒葺屋根の並設する瓦棒２間に断熱材３を敷き詰め、この各断熱材３の上面に暖気を導入する導入管部６を設けると共に、この各導入管部６は屋根の棟部７に内装した換気部８に連通せしめ、この断熱材３の上面に新しい屋根板４を付設することを特徴とする屋根融雪装置の施工方法に係るものである。
【０００９】
また、前記断熱材３の表面に嵌合溝１０を設け、この嵌合溝１０に前記導入管部６を嵌合装着してこの導入管部６が断熱材３の上面と略面一状態となるように設けたことを特徴とする請求項３記載の屋根融雪装置の施工方法に係るものである。
【００１０】
また、前記導入管部６は、前記瓦棒２と略平行に前記棟部７から軒先までの範囲に設けることを特徴とする請求項３，４のいずれか１項に記載の屋根融雪装置の施工方法に係るものである。
【００１１】
また、室内の暖気を前記換気部８に強制的に排出する暖気排出機構部９を設けることを特徴とする請求項３〜５のいずれか１項に記載の屋根融雪装置の施工方法に係るものである。
【００１２】
【発明の実施の形態】
好適と考える本発明の実施の形態（発明をどのように実施するか）を、図面に基づいてその作用効果を示して簡単に説明する。
【００１３】
屋根の改修方法について説明する。
【００１４】
長尺瓦棒葺屋根の老朽化した古い屋根板１（縦葺屋根板）を引き剥がすことなく、単にこの古い屋根板１上の並設する瓦棒２間にこの瓦棒２と略面一状態に断熱材３を敷き詰め、この断熱材３の上面に新しい屋根板４を付設することで改修工事終了となる。
【００１５】
従って、面倒な屋根板の引き剥がし作業を要することなく、しかも断熱材３は単に瓦棒２間に嵌め込むようにして簡単に敷き詰めできるし、その上に新しい屋根板４を付設するだけの作業を行うだけで良いため、従来の改修方法に比して極めて容易に且つスピーディーに施工を行うことができ、施工コストも削減することになる。
【００１６】
しかも、断熱材３を屋根に設置したことで、特に夏季や冬季に秀れた断熱効果を発揮して快適な居住空間を提供できることになる上、この断熱材３が遮音材としての機能も果たすことになるため、屋根に当たる雨の音などが聞こえにくくなり、秀れた静音性も実現することになる。
【００１７】
また、例えば、前記断熱材３の上面に防水シート５を敷設状態に付設し、この防水シート５の上面に新しい屋根板４を敷設状態に付設すれば、防水シート５による確実な防水効果が得られるために、一層実用的となる。
【００１８】
屋根融雪装置の施工方法について説明する。
【００１９】
長尺瓦棒葺屋根の並設する瓦棒２間に、上面に導入管部６を設けた断熱材３を敷き詰めてこの各導入管部６を屋根の棟部７に内装した換気部８に連通させ、この断熱材３の上面に新しい屋根板４を付設することで施工終了となる。
【００２０】
例えば、屋根に棟換気構造を備えた家屋に施工した場合には、棟部７（換気部８）から排気される暖気が導入管部６内に導入し、この導入管部６内の暖気の熱がこの導入管部６上方の新しい屋根板４に伝導し、この伝導熱によって新しい屋根板４上の積雪が融かされることになる。
【００２１】
尚、棟換気構造のない家屋に対して施工する場合には、室内の暖気を棟部７から換気する換気部８を別途施工する。
【００２２】
従って、上記のような簡単な施工方法にて長尺瓦棒屋根に屋根融雪装置を施工できることになる。
【００２３】
また、この屋根融雪装置の施工により同時に屋根の改修も行われる。
【００２４】
従って、面倒な屋根板の引き剥がし作業を要することなく、屋根の改修が行われるため、従来の改修方法に比して極めて容易に且つスピーディーに施工を行うことができ、施工コストも削減することになる。
【００２５】
しかも、断熱材３を屋根に設置したことで、特に夏季や冬季に秀れた断熱効果を発揮して快適な居住空間を提供できることになる上、この断熱材３が遮音材としての機能も果たすことになるため、屋根に当たる雨の音などが聞こえにくくなり、秀れた静音性も実現することになる。
【００２６】
また、例えば、前記断熱材３の表面に嵌合溝１０を設け、この嵌合溝１０に前記導入管部６を嵌合装着してこの導入管部６が断熱材３の上面と略面一状態となるように設ければ、断熱材３に導入管部６を内装する構造を簡易に設計実現可能となり、しかも嵌合溝１０に嵌合した導入管部６は断熱材３の上面と略面一状態であるから、断熱材３上に新しい屋根板４を付設し易いし、導入管部６の存する部分が不自然に飛び出たりすることがなく、新しい屋根板４を体裁良く付設することができ、その上、導入管部６は上方部以外の部位が断熱材３内によって囲まれた状態であるため、導入管部６内の暖気が外気の影響よってすぐに冷めてしまうようなことはなく、一層秀れた融雪効果が得られることになる。
【００２７】
また、例えば、前記導入管部６は、前記瓦棒２と略平行に前記棟部７から軒先までの範囲に設ければ、並設する瓦棒２間の複数箇所に棟部７から軒先まで配された導入管部６によって広範囲を融雪することができる上、軒先から暖気を排出するように構成することもできるためにこのように構成することで軒先につららができにくくすることもできるなど、一層実用的となる。
【００２８】
また、例えば、室内の暖気を前記換気部８に強制的に排出する暖気排出機構部９を設ければ、確実に換気部８を介して導入管部６内に暖気を導入することができるため、融雪効果が一層促進することになる。
【００２９】
【実施例】
本発明の具体的な実施例について図面に基づいて説明する。
【００３０】
本実施例は、図２に示すような長尺瓦棒葺屋根の改修方法に係るものである。
【００３１】
具体的に説明すると、従来の葺替え方法とは異なり、老朽化した古い屋根板１（縦葺屋根板）を引き剥がすことなく、先ず、図３に示すようにこの古い屋根板１上の並設する瓦棒２間にこの瓦棒２と略面一状態に断熱材３を敷き詰める。
【００３２】
断熱材３は、並設する瓦棒２間の横幅に略合致する横幅を有すると共に、瓦棒２の長さ幅に略合致する縦幅を有し、更に瓦棒２の高さと略合致する厚さ幅を有する長尺方形板状のものを多数用意し、この長方形板状の断熱材３を単に瓦棒２間に嵌め込むことで敷設する。
【００３３】
断熱材３の寸法をこのように設定したため、単に瓦棒２間に断熱材３を嵌め込むことだけで、この瓦棒２間の古い屋根板１上に断熱材３が隙間なく且つ瓦棒２と略面一状態に敷設されることとなる。従って、この断熱材３の敷き詰め作業は極めて容易に行うことができる。
【００３４】
また、本実施例では、図３に示すように瓦棒２の瓦棒キャップ上面の凹部に両面テープなどを利用してゴム板１１を敷設することで、瓦棒２上の段差も無くしている。
【００３５】
即ち、本実施例では、古い屋根板１上に敷設した断熱材３と瓦棒２とで略平らな面を形成している。このように断熱材３と瓦棒２との上面を段差なく平らにすることで、後述する防水シート５の付設作業が容易に行われる。
【００３６】
次いで、図４に示すようにこの平らに形成した断熱材３と瓦棒２との上面全面に、防水シート５（既存のアスファルトフェルトやルーフィングフェルトを使用すると良い）を敷設状態に付設し、この防水シート５の上面に新しい屋根板４を付設して施工終了となる。
【００３７】
本実施例では新しい屋根板４として横葺屋根板を採用した場合を示している（図１参照）。この新しい屋根板４は横葺屋根板に限定するものではなく、縦葺屋根板やその他の屋根板でも良いが、本実施例のように横葺屋根板を採用すると、付設した新しい屋根板４が改修前の瓦棒２より若干高い位置に存するに止まるため、改修後に屋根面が不自然に高くならず体裁を損なわないという利点がある。
【００３８】
また、新しい屋根板４の付設手段は、例えば、断熱材３や瓦棒２を貫通して野地板１２や垂木１３にまで達する長さの釘１５を新しい屋根板４の上方から打ち込んで固定すると良い。尚、図４では、瓦棒２の位置に新しい屋根板４の上から垂木１３に達するまで釘１５を打ち込んで付設固定した場合を示している。
【００３９】
従って、本実施例では、面倒な屋根板の引き剥がし作業を要することなく、上記のように「古い屋根板１の上に断熱材３を敷き詰める」、「断熱材３の上に防水シート５を付設する」、「防水シート５の上に新しい屋根板４を付設する」という簡単な三工程を行うだけで施工終了となるため、従来の改修方法に比して極めて容易に且つスピーディーに施工を行うことができ、施工コストも削減することになる。
【００４０】
しかも、断熱材３を屋根に設置したことで、特に夏季や冬季に秀れた断熱効果を発揮して快適な居住空間を提供できることになる上、この断熱材３が遮音材としての機能も果たすことになるため、屋根に当たる雨の音などが聞こえにくくなり、秀れた静音性も実現することになる。
【００４１】
また、本実施例では、屋根の改修と同時に屋根融雪装置の施工も行っている。
【００４２】
具体的に説明すると、前記各断熱材３は、いずれもこの断熱材３の長さ方向に沿って表面に長い嵌合溝１０を設け、この嵌合溝１０に導入管部６を嵌合装着することができるように構成している。また、この嵌合溝１０に嵌合装着した導入管部６が断熱材３の上面と略面一状態となるように嵌合溝１０の深さを設定している。
【００４３】
また、この導入管部６は、断熱材３と略合致する長さを有する構成とし、断熱材３を瓦棒２間に嵌め込んだ際には、嵌合溝１０に嵌合装着したこの導入管部６が瓦棒２と略平行に配されて棟部７から軒先までの範囲に存するように構成している。
【００４４】
この断熱材３を瓦棒２間に敷き詰めた後で、嵌合溝１０に導入管部６を嵌合装着し、この導入管部６の棟側端部を棟部７に内装された換気部８に連通するように施工する。
【００４５】
即ち、棟部７の換気部８から排出される家屋内の暖気が導入管部６に導入するように構成している。
【００４６】
また、この導入管部６には、長さ方向に所定間隔を置いて排出孔１６を形成し、この排出孔１６を上にして嵌合溝１０に導入管部６を装着することで、この排出孔１６から暖気が直接前記防水シート５に触れ、この防水シート５を介して新しい屋根板４に伝熱する構成としている。
【００４７】
また、本実施例では、室内の暖気を強制的に排出させてこの換気部８に暖気を送り込む暖気排出機構部９を設けている。
【００４８】
この暖気排出機構部９について具体的に説明すると、詳しく図示していないが、部屋と前記換気部８（長尺横管）とを排気管１４で連結した構成とし、この排気管１４の途中に換気扇を設けてこの換気扇を作動させると排気管１４を介し部屋内の生活暖房余熱が換気部８に強制的に送り込まれるようにしている。
【００４９】
次に、この屋根融雪装置の作動を説明する。
【００５０】
換気扇を作動させると、排気管１４を介して換気部８に室内の生活暖房余熱が送りこまれ、この換気部８から排気される暖気が導入管部６内に導入し、この導入管部６内の暖気の熱がこの導入管部６上方の新しい屋根板４に伝導し、この伝導熱によって新しい屋根板４上の積雪が融かされる。
【００５１】
また、同時に導入管部６の軒先側端部から暖気が排出されることで、軒先（鼻先）につららができにくいことになる。
【００５２】
尚、暖気排出機構部９は特に設けなくとも良いが、本実施例のように設けた方が融雪効果は高い。
【００５３】
また、施工する家屋の棟部７に換気部８がない場合（棟換気構造がない場合）には、この棟換気構造の施工も同時に別途必要となる。
【００５４】
尚、本発明は、本実施例に限られるものではなく、各構成要件の具体的構成は適宜設計し得るものである。
【００５５】
【発明の効果】
本発明は上述のように、古い屋根板の上に重ねて施工するから、面倒な古い屋根板の引き剥がし作業を要することがなく、しかも施工は、断熱材を単に瓦棒間に嵌め込むようにして簡単に敷き詰めできるし、その上に新しい屋根板を付設するという作業を行うだけで改修作業が終了するため、従来の改修方法に比して極めて容易に且つスピーディーに施工を行うことができ、施工コストも削減することになり、その上、断熱材を屋根に設置したことで、特に夏季や冬季に秀れた屋根断熱効果を発揮することは勿論、この断熱材が遮音材としての機能も果たすことになるため、屋根に当たる雨音などが聞こえにくくなり、秀れた静音性も実現することになるなど、極めて実用性に秀れた画期的な屋根の改修方法となる。
【００５６】
また、請求項２記載の発明においては、防水シートによる確実な防水効果が得られる一層実用性に秀れた屋根の改修方法となる。
【００５７】
また、請求項３記載の発明においては、簡単な施工方法にて長尺瓦棒屋根に屋根融雪装置を施工できるし、この屋根融雪装置の施工により同時に屋根の改修も行われることになり、施工後は融雪効果に加えて、屋根の断熱材により夏季や冬季に秀れた断熱効果を発揮して快適な居住空間を提供できることになる上、この断熱材が遮音材としての機能も果たすことになるため、屋根に当たる雨音などが聞こえにくくなるなどの効果も奏することになる極めて実用性に秀れた画期的な屋根融雪装置の施工方法となる。
【００５８】
また、請求項４記載の発明においては、断熱材に導入管部を内装する構造を簡易に設計実現可能となり、しかも嵌合溝に嵌合した導入管部は断熱材の上面と略面一状態であるから、断熱材上に新しい屋根板を付設し易いし、導入管部の存する部分が不自然に飛び出たりすることがなく、新しい屋根板を体裁良く付設することができ、その上、導入管部は上方部以外の部位が断熱材内によって囲まれた状態であるため、導入管部内の暖気が外気の影響よってすぐに冷めてしまうようなことはなく、一層秀れた融雪効果が得られることになる極めて実用性に秀れた屋根融雪装置の施工方法となる。
【００５９】
また、請求項５記載の発明においては、並設する瓦棒間の複数箇所に棟部から軒先まで配された導入管部によって広範囲を融雪することができる上、軒先から暖気を排出するように構成することもできるためにこのように構成することで軒先につららができにくくすることもできるなど、一層実用性に秀れた屋根融雪装置の施工方法となる。
【００６０】
また、請求項６記載の発明においては、確実に換気部を介して導入管部内に暖気を導入することができるため、一層良好な融雪効果が発揮される極めて実用性に秀れた屋根融雪装置の施工方法となる。
【図面の簡単な説明】
【図１】本実施例により完成した屋根を示す一部を切り欠いた説明図である。
【図２】施工前の長尺瓦棒葺屋根を示す部分拡大斜視図である。
【図３】古い屋根板上の並設する瓦棒間に断熱材が敷き詰められると共に、瓦棒にゴム板が付設され、この断熱材に導入管部が嵌合装着される様子を示す部分拡大説明図である。
【図４】断熱材上に防水シートを付設し、この防水シート上に新しい屋根板を付設した様子を示す部分拡大説明図である。
【符号の説明】
１  古い屋根板
２  瓦棒
３  断熱材
４  新しい屋根板
５  防水シート
６  導入管部
７  棟部
８  換気部
９  暖気排出機構部
１０  嵌合溝
【図１】
2004190226.tif 000003
【図２】
2004190226.tif 000004
【図３】
2004190226.tif 000005
【図４】
2004190226.tif 000006